(57)【要約】【課題】  振動発生体を任意の被振動体に取り付けできるとともにその固着作業を容易にし、また、振動発生体に対する音源の設置場所の制約を少なくして、外観も良好なものにして被振動体へ明瞭な音声を伝達できる音声発生装置を提供する。【解決手段】  音源からの音声信号を受信する受信部６と受信した音声信号を振動に変換する振動発生体７とを一体に組み込んだケース10と、前記振動発生体と一面を接触させて配置し一部をケース外面に突出させた振動伝達部材９と、この振動伝達部材の近傍におけるケース面に設けられた固着部材15とからなり、固着部材によってケースを被振動体５へ緩衝的に取り付けることで前記振動伝達部材が被振動体の板面に当接し、前記振動発生体による振動を被振動体に伝達して板体表面から音声を発生させることを特徴とする。【選択図】  図４
2006140740.tif 000002
【特許請求の範囲】
【請求項１】
音源からの音声信号を受信する受信部と受信した音声信号を振動に変換する振動発生体とを一体に組み込んだケースと、前記振動発生体と一面を接触させて配置し一部をケース外面に突出させた振動伝達部材と、この振動伝達部材の近傍におけるケース面に設けられた固着部材とからなり、固着部材によってケースを被振動体へ緩衝的に取り付けることで前記振動伝達部材が被振動体の板面に当接し、前記振動発生体による振動を被振動体に伝達して板体表面から音声を発生させることを特徴とする音声発生装置。
【請求項２】
振動伝達部材の近傍に柔軟物質とその外表面に接着部を形成した接着部材を設けるとともに、固着部材を被振動体の対向面から側方へ回動可能とし、固着部材を回動した場合には前記接着部材が被振動体に当接するようにしたことを特徴とする請求項１記載の音声発生装置。
【請求項３】
固着部材を吸盤にして振動伝達部材の両側に離間して設けたことを特徴とする請求項１または２記載の音声発生装置。
【請求項４】
振動伝達部材における被振動体との当接面に緩衝シートを貼り付けたことを特徴とする請求項１記載の音声発生装置。
【請求項５】
音源からの音声信号を受信する受信部と、受信した音声信号を振動に変換する振動発生体と、軟質材からなり前記振動発生体をその中央部に嵌着するとともに、振動発生体の一面と密着する面を有し先端を中央部から外方に突出させた振動伝達部材を一体に成形して周縁をラッパ状に拡開した吸盤体とからなり、この吸盤体を被振動体に緩衝的に固着することで前記振動伝達部材が被振動体の板面に当接し、前記振動発生体による振動を被振動体に伝達して板体表面から音声を発生させることを特徴とする音声発生装置。
【請求項６】
吸盤体の中心部分と周縁吸盤との連接部に薄肉帯を形成したことを特徴とする請求項５記載の音声発生装置。
【発明の詳細な説明】
【技術分野】
【０００１】
本発明は、振動発生体によりパネル板などの板面から音声を空間内に発生させる音声発生装置に関する。
【背景技術】
【０００２】
従来、テレビやＣＤラジカセなどの音声やマイク入力による任意の音源に接続し、入力された音声信号を振動に変換する振動発生体を有し、この振動発生体を、例えば絵画の額縁裏面などの任意の物体に貼り付けることにより、その物体から音声を発生させるスピーカ装置が存在した。
【０００３】
これは、音源からの音声信号が、接続コードによって振動素子の駆動信号発生部に入力され、駆動信号に変換されて振動素子部に出力するようにしており、振動素子部は両面接着テープによって任意の、例えば額縁の裏面に固着され、振動によって被振動体である額縁部から音声を発生させるものである。
【発明の開示】
【発明が解決しようとする課題】
【０００４】
しかしながら、この従来構成では、本体である振動素子の駆動信号発生部と振動素子部とが分離されており、これらの接続が必要であるとともに両面接着テープによる被振動体への固定作業が煩雑となる欠点があった。また、音源と振動素子駆動信号発生部の本体とが有線接続されているため、音源との距離に制約を生じ、接続コードの処理が必要になるとともに外観を損ねる問題があった。
【０００５】
本発明は上記事情を考慮してなされたものであり、振動発生体を任意の被振動体に取り付けできるとともにその固着作業を容易にし、また、振動発生体に対する音源の設置場所の制約を少なくして、外観も良好なものにして被振動体へ明瞭な音声を伝達できる音声発生装置を提供するものである。
【課題を解決するための手段】
【０００６】
上記課題を解決するため、本発明の請求項１に記載の音声発生装置は、音源からの音声信号を受信する受信部と受信した音声信号を振動に変換する振動発生体とを一体に組み込んだケースと、前記振動発生体と一面を接触させて配置し一部をケース外面に突出させた振動伝達部材と、この振動伝達部材の近傍におけるケース面に設けられた固着部材とからなり、固着部材によってケースを被振動体へ緩衝的に取り付けることで前記振動伝達部材が被振動体の板体に当接し、前記振動発生体による振動を被振動体の板面に伝達して板体表面から音声を発生させることを特徴とする。
【０００７】
また、請求項５記載の音声発生装置は、音源からの音声信号を受信する受信部と、受信した音声信号を振動に変換する振動発生体と、軟質材からなり前記振動発生体をその中央部に嵌着するとともに振動発生体の一面と密着する面を有し先端を中央部から外方に突出させた振動伝達部材を一体成形して周縁をラッパ状に拡開した吸盤体とからなり、この吸盤体を被振動体に緩衝的に固着することで前記振動伝達部材が被振動板の体面に当接し、前記振動発生体による振動を被振動体に伝達して板体表面から音声を発生させることを特徴とするものである。
【発明の効果】
【０００８】
請求項１の発明によれば、圧電素子やマグネットコイルなどの電磁振動装置などの振動発生体を任意の被振動体に容易に固着できるとともに、振動発生体に対する音源の設置場所の制約を少なくすることができる。また、外観も良好なものにして被振動体の板面へ明瞭な音声を伝達できる
また、請求項５の発明によれば、前記発明と同様の効果のほか、振動発生体を吸盤状の取付部材と実質的に一体化してコンパクトな構成にすることができ、被振動体への取り付けをさらに容易にすることができる。
【発明を実施するための最良の形態】
【０００９】
以下、図面に基づき本発明の１実施形態について説明する。図１に示す音声発生装置（１）は、音源（２）からの音声信号が接続コード（３）によって送信部（４）に入力され、無線信号に変換されて、図２に示す被振動体である意匠パネル（５）の裏面に取り付けられた受信部（６）に入力されるものであり、受信部（６）で受信された無線信号は、再び音声信号に変換され、さらに振動素子駆動信号に変換されて振動発生体（７）に出力する。
【００１０】
図３に斜視図、図４に図２のＡ−Ａ線に沿う断面図で示すように、振動発生体（７）は、薄い金属基板の片面側に極薄肉の圧電セラミック板を貼り合わせた圧電振動素子からなって前記受信部（６）で受けた無線信号を受信回路部（８）における制御回路によって音声信号に変換し、この変換された音声信号を振動発生体（７）で振動に変換し、前記振動発生体（７）の一面と密着して実質上一体に形成した金属や硬質合成樹脂などの硬質体からなる振動伝達部材（９）を介して接触している意匠パネル（５）に伝達し音声として復元するものであり、方形のケース（10）の意匠パネル（５）への取付面の中央部に設けた透孔（10ａ）の裏面に緩衝材（11）を介して固着されている。
【００１１】
前記振動伝達部材（９）の先端は前記透孔（10ａ）から外方に数ｍｍ程度突出しており、その先端面には薄いゴム片（12）を貼り付けるとともに、圧電振動素子（７）の後方にはケース本体（10）側に固着した圧縮コイルバネ（13）を設けて前方への突出力を付勢している。
【００１２】
前記透孔（10ａ）の両側における取付面には、前記振動伝達部材（９）と中心点が一直線上に位置するように吸盤（15）を所定間隔で配置しており、この吸盤（15）によってケース（10）を任意の被振動体である意匠パネル（５）に取り付け、振動発生体（７）を振動させることで意匠パネル（５）の面から音声を発生させるものである。
【００１３】
前記振動伝達部材（９）と吸盤（15）（15）とからなる列の両側には間隔を形成して平行に柔軟材質からなる接着部材（16）（16）を固着している。この接着部材（16）は、自由状態における前記振動伝達部材（９）のケース取付面からの突出長以下の厚み寸法とするとともに、その外表面の接着剤層には離型紙（17）を貼り付けており、列状とした振動伝達部材（９）と吸盤（15）のみの固定によるケース（10）の傾きを防止するように支持するものであり、さらに吸盤（15）によるケース（10）の固定をおこなわない場合には、前記離型紙（17）を剥がして接着固定することでケース（10）を保持することができるようにしている。
【００１４】
上記のようにケース（10）を接着部材（16）によって接着固定する場合を考慮して、前記吸盤（15）はそのアーム軸（15ａ）の端部に設けた回転軸（15ｂ）とケース（10）の軸孔との係合により回動可能としており、吸盤（15）を使用しない場合は、アーム軸（15ａ）を９０度回動することにより、図３、４中に２点鎖線で示すように、吸盤（15）部分をケース側面の凹部（10ｂ）に収納できるようにしている。
【００１５】
上記構成による音声信号伝達の形態を説明する。図１に示すように、ＣＤラジカセなどステレオ出力の音源（２）からの音声信号は、送信部（４）から受信部（６）に、例えば、発光部と受光部とからなる赤外線ＬＥＤを用いた方式で伝達され、受信回路部（８）における復調回路からモード切替スイッチ（18）によって圧電振動素子（７）に出力する信号を、左右いずれかのチャンネルモード、あるいは左右チャンネルをミックスしたモノラルモードに切り換えるようにしている。
【００１６】
前記モード切換機能は、図２にその使用例を示すように、被振動体である意匠パネル（５）が単一の場合はモノラルモードで使用するが、被振動体が２つ以上あってステレオモードで使用する場合は、図５に示すように、各受信部（６ａ）（６ｂ）の左右のチャンネルモードをそれぞれ左および右に切り換えて使用することにより、意匠パネル（５ａ）および（５ｂ）の各板面からの音声でステレオ音場を得ることができる。
【００１７】
しかして、被振動体である意匠パネル（５）などに振動発生体（７）を取り付けるときは以下のようにする。すなわち、吸盤（15）を用いて取着する場合は、ケース（10）の取り付け面から突出している振動伝達部材（９）の両側に吸盤（15）を位置させ、この吸盤（15）を意匠パネル（５）裏面の適当な平面部に押し付けて固着する。
【００１８】
このとき、吸盤（15）は所定量押圧させる必要があるが、振動発生体（７）は圧縮コイルバネ（13）のバネ力に抗してケース（10）内に押し込むことができるため、図４に２点鎖線で示すように、吸盤（15）に対して充分な変位量により強固に固着できるとともに、振動伝達部材（９）を確実に被振動体（５）に接触させ、充分な振動伝達をおこなうことができる。
【００１９】
そして、振動伝達部材（９）の先端面には薄いゴム片（12）が貼り付けられているので、意匠パネル（５）と硬質の振動伝達部材（９）とが直接接触することによるビビリ音を防止することができるものであり、また、伝達された被振動体（５）の振動は、吸盤（15）の柔軟性や圧縮コイルバネ（13）の弾性によってケース（10）に伝達することを抑制するため、ケース（10）へ振動が伝達して、内部に収納されている電気部品などへ悪影響を及ぼすことを防ぐことができる。
【００２０】
そして、吸盤（15）ではなく、直接接着によって振動発生体（７）を意匠パネル（５）に取り付ける場合には、吸盤（15）部分を回動してケース側面の凹部（10ｂ）に収納することで、接着部材（16）をケース（10）表面に突出させ、次いで、離型紙（17）を除去してパネル（５）面の所定部位に押し付けることで固着することができ、同時に振動伝達部材（９）の先端も確実に意匠パネル（５）面に接触するので、振動伝達を確かなものとして意匠パネル（５）から発生する音声の音量、音質を確かなものとすることができるものであり、且つ、吸盤（15）と接着部材（16）方式との２つの取り付け手段が互いに干渉することを防いで被振動体に応じた取り付け手段を選択することができる。
【００２１】
なお、振動発生体は、前記実施例の圧電振動素子（７）に限らず、ボイスコイルとマグネットとヨークで構成したマグネットコイルの電磁振動アクチュエータ装置としてもよいものであり、また、振動発生体を収納したケース（10）の固定は前記吸盤（15）による保持に限るものではなく、取り付け対象である被振動体の厚みが比較的薄いものや鋼板製である場合などは磁石を利用した吸着方式により着脱自在に固着するようにしてもよい。
【００２２】
次に、本発明の他の実施形態について説明する。図６に示すように、音源（２）からの音声信号を受信する受信部（26）に接続される前記実施例と同様の構成からなる振動発生体（27）は、軟質合成樹脂で形成された吸盤体（35）の中央の肉厚部（35ａ）に嵌入して固着されている。
【００２３】
前記吸盤体（35）は、その周縁をラッパ状に拡開した吸盤部（35ｂ）を形成するとともに、中央の肉厚部（35ａ）には硬質材である振動伝達部材（29）を複合射出成形などにより一体に形成している。振動伝達部材（29）は、振動発生体（27）の一面と密着する面を有し、先端を吸盤体の中央肉厚部（35ａ）から外方に突出させており、前記振動発生体（27）を肉厚部（35ａ）に嵌入して固定することで振動伝達部材（29）と面接触するように形成されている。
【００２４】
（35ｃ）は、中央肉厚部（35ａ）と吸盤部（35ｂ）との連接部に形成した薄肉部であり、この薄肉部（35ｃ）の吸収作用により、吸盤体（35）の被振動体である意匠パネル（25）への吸着とともに、振動伝達部材（29）のパネル（25）面への接触を確保するようにしている。
【００２５】
そして、この吸盤体の吸盤部（35ｂ）を被振動体である意匠パネル（25）の平板面に固着することで、吸盤体（35）の中央肉厚部（35ａ）に埋設された振動伝達部材（29）の先端が意匠パネル（25）面に当接するようにしており、この構成によって、振動発生体（27）による振動を被振動体（25）の板面に良好に伝達し、板体表面から音声を発生させるものであって、振動発生体（27）を吸盤状の取付部材（35）と実質的に一体化してコンパクトな構成にすることができ、被振動体（25）への取り付けをさらに容易にすることができる。
【産業上の利用可能性】
【００２６】
本発明は、絵画の額縁や意匠パネルなどパネル板体自体から音声を発生させる音声発生装置に利用することができる。
【図面の簡単な説明】
【００２７】
【図１】本発明の１実施形態の音声発生装置を示す概略構成図である。
【図２】図１の音声発生装置を意匠パネルに取り付けた例を示す図である。
【図３】図１の音声発生装置をケース内に収納した状態を示す斜視図である。
【図４】図３のＡ−Ａ線に沿う断面図である。
【図５】図２の音声発生装置のステレオモードを示す図である。
【図６】本発明の他の実施形態を示す概略構成図である。
【図７】図５の音声発生装置を意匠パネルに固着した状態を示す縦断面図である。
【符号の説明】
【００２８】
１  音声発生装置          ２  音源                  ３  接続コード
４  送信部                ５、25  被振動部          ６、26  受信部
７、27  振動発生体        ８  受診回路部            ９、29  振動伝達部材
10  ケース                10ａ  透孔                10ｂ  凹部
11  緩衝材                12  ゴム片                13  コイルバネ
15  吸盤                  15ａ  アーム軸            15ｂ  回転軸
16  接着部材              17  離型紙                18  モード切替スイッチ
35  吸盤体                35ａ  肉厚部              35ｂ  吸盤部
35ｃ  薄肉部
【図１】
2006140740.tif 000003
【図２】
2006140740.tif 000004
【図３】
2006140740.tif 000005
【図４】
2006140740.tif 000006
【図５】
2006140740.tif 000007
【図６】
2006140740.tif 000008
【図７】
2006140740.tif 000009